(57)【要約】【課題】  フロント部の両側にヨロイを設け、該ヨロイ先端に取付けた蝶番継手を介して折畳み出来るように取付けたツルが、メガネを掛ける際に開いた状態から、バネ力の作用下においてさらに外方向へ僅かに押し開くことが出来るツル継手構造の提供。【解決手段】  蝶番７にリング状のバネ１４を抱き込むように取付け、リング状のバネ１４は所定の間隔をおいて一方向に湾曲した２本の外バネ片１５，１５と同じく反対方向に湾曲した１本の中バネ片１６が一体化して形成され、外バネ片１５，１５の先端及び中バネ片１６の先端をヨロイ先端２０とツル端１９に当接している。【選択図】    図６
0003150290.tif 000002
【実用新案登録請求の範囲】
【請求項１】
フロント部の両側にヨロイを設け、該ヨロイ先端に取付けた蝶番継手を介して折畳み出来るように取付けたツルが、メガネを掛ける際に開いた状態から、バネ力の作用下においてさらに外方向へ僅かに押し開くことが出来るツル継手構造において、上記蝶番にリング状のバネを抱き込むように取付け、リング状のバネは所定の間隔をおいて一方向に湾曲した２本の外バネ片と同じく反対方向に湾曲した１本の中バネ片が一体化して形成され、外バネ片の先端及び中バネ片の先端をヨロイ先端とツル端に当接し、ツルを外方向へ押し開く際には上記外バネ片先端及び中バネ片先端を押圧してリング状のバネの外径が拡大するように変形することを特徴とするメガネフレームのツル継手構造。
【請求項２】
上記ヨロイ先端内面とツル端内面には斜めに切欠いた切欠き部を設けた請求項１記載のメガネフレームのツル継手構造。
【考案の詳細な説明】
【技術分野】
【０００１】
本考案はメガネフレームのツルを折畳み可能に連結すると共に、開いた状態からバネ力が付勢されて外方向へ僅かに開くことが出来るようにしたメガネフレームのツル継手構造に関するものである。
【背景技術】
【０００２】
ツルが開いた状態から外方向へ僅かに押し開くことが出来るように機能する継手はバネ蝶番と称され、メガネフレームのツル連結手段として多用されている。特開２００１−２９０１０８号に係る「連結構造」はメガネフレームのテンプルとヨロイとを相対的に回動可能に連結するもので、テンプルの一端に二又に分岐させて形成した一対の片体を設けて水平方向に間隙を確保し、各片体に夫々孔を穿設すると共に、各片体に対向する溝をテンプルの長手方向に沿って延設しており、この対向する溝間に付勢部材を保持され、付勢部材の付勢力によってヨロイに対して付勢される移動部材を付勢部材に係着し、テンプルの間隙に移動可能に位置させている。
【０００３】
このように、開いた状態のツルを戻し方向へのバネ力を付勢して外方向へ押し開くことが出来るように構成し、その為にコイルバネを用いている。すなわち、コイルバネを圧縮変形させることでバネ力を発生しているが、その為に上記コイルバネを伸縮変形させる摺動部材が必要となっている。そこで、ゴミの介入やサビの発生でこの摺動部材の摺動に支障をきたす場合、ツルの開き操作がスムーズに機能しないことになる。
【０００４】
図７には最も基本的なバネ蝶番と称されるツル継手構造を示している。すなわち、該バネ蝶番の基本的な考えは、ヨロイ(イ)には固定蝶片(ロ)をロウ付け固定し、他方の蝶片を摺動蝶片(ハ)として一定距離の摺動を許すことによって外方向への開きをツル(ニ)に与えることが出来る。
【０００５】
ツル(ニ)にはガイド溝が形成され、摺動蝶片(ハ)はガイド溝を案内として摺動する訳であるが、上記摺動蝶片(ハ)の内部空洞にはコイルバネ(ホ)が収まっていて、ツル(ニ)を外ヘ開く際には摺動蝶片(ハ)が固定蝶片(ロ)側へ引張られて圧縮される。該コイルバネ(ホ)は摺動蝶片(ハ)の内部空洞入口に設けられてツル(ニ)の溝穴(ヘ)に係止したツメ(ト)に当たり、該ツメ(ト)はストッパーとして機能している。その結果、コイルバネ(ホ)の復元力がツル(ニ)に作用して、該ツル(ニ)を元の位置に戻そうとする。
【０００６】
ところで、上記摺動蝶片(ハ)にコイルバネ(ホ)を内蔵した蝶番構造は同図に示すごとく複雑であり、したがって製作工数も増大し、コスト的には高価なバネ付き蝶番と成ってしまう。しかも構造が複雑化している為に故障し易く、一旦故障すれば修理し難い等の問題もある。摺動蝶片(ハ)の内部空洞にコイルバネ(ホ)と芯金を押し込んでツメ(ト)に係止するならば、該ツメ(ト)並びにコイルバネ(ホ)を取り外すことが出来ない。
【０００７】
すなわち、ツメ(ト)は摺動蝶片(ハ)のガイドに拘束された状態でツメ(ト)の係止片(チ)が溝穴(ヘ)に嵌入し、芯金の頭(リ)はバネ力をもってツメ(ト)に当接し、係止片(チ)を溝穴(ヘ)へ押し込む力が働くことになる。従って、このツメ(ト)を摺動蝶片(ハ)から取外すことが出来なくなると同時に、修理は不能となる。
【０００８】
勿論、バネ蝶番と同じ機能を果たすことが出来る継手構造は他にも色々あって、メガネを掛けた際にツルは顔側面から頭部にかけてフィットする。しかし、従来の継手構造は一般的に複雑であると共に組み付けが面倒であり、その為に修理が容易でない。上記図７に示すバネ蝶番を取付ける場合には、ツル(ニ)には摺動蝶片(ハ)が摺動するガイドを設ける必要があり、そしてコイルバネ(ホ)及び芯金を挿入し、ツメ(ト)を嵌めなくてはならず、一般的な蝶番をロウ付けして取付けるように簡単ではない。
【０００９】
又、同図に示すバネ蝶番では、コイルバネ(ホ)やツメ(ト)を収容する摺動蝶片(ハ)がツル(ニ)の内側に大きく突出した形態となり、メガネの外観が損なわれると共に重くなってしまう。近年のスリムなメガネフレーム用のバネ蝶番としては外観的にも適さない。
【００１０】
このように、バネ蝶番機能を備えたツル継手構造は一般的な蝶番継手とは基本的構造が異なり、その為にバネ蝶番継手は普通の蝶番継手から切り離して製作される。すなわち、規格部品である蝶番継手に別部品を付加してバネ蝶番機能を備える構造ではなく、基本構造が違う為に製作コストは嵩むことに成る。
【特許文献１】特開２００１−２９０１０８号に係る「連結構造」
【考案の開示】
【考案が解決しようとする課題】
【００１１】
このように、バネ蝶番として機能するツル継手構造は色々知られている。しかしバネ蝶番を構成することでその外観・形態は一般の蝶番継手とは別異なものとなり、製作コストも高くなる。本考案に係るツル継手構造はリング状のバネを一般の蝶番に組合せすることで、簡単に構成してバネ蝶番機能を備えるツル継手構造を提供する。
【課題を解決するための手段】
【００１２】
本考案に係るメガネフレームのツル継手構造は、フロント部両側にヨロイが設けられ、該ヨロイにツルが連結される。ヨロイとツルの間には継手が介在しており、ツルは該継手を介して折畳まれる。ここで、本考案のツル継手は普通の蝶番を主体とし、該蝶番にリング状のバネを組み合わせた構造としている。すなわち、リング状のバネにて蝶番の軸部を抱き込んだ状態で組み合わされる。
【００１３】
リング状のバネとは、所定の曲率半径をもって湾曲したリング形状とし、中間部位から一方側へ１本の中バネ片が湾曲して延び、他方側へ２本の外バネ片が湾曲して延びている。そこで、中バネ片と外バネ片とで蝶番の軸部を抱き込むように組み合わされたリング状のバネは、外バネ片の先端をヨロイ先端に当接し、中バネ片の先端をツル端に当接するように取付けられる。勿論、逆に外バネ片の先端をツル端に当接し、中バネ片の先端をヨロイ端に当接させる場合もある。そこで、ツルを開いた状態ではヨロイ先端とツル端の間には僅かな隙間を残している。
【考案の効果】
【００１４】
本考案に係るツル継手構造は、蝶番にリング状のバネが組み合わせて構成され、普通の蝶番にリング状のバネを付加した構造であり、製作コストは安くなる。すなわち、リング状のバネを製作して組み込むだけでバネ蝶番となる。その為に、現に使用しているメガネのツル継手蝶番にリング状のバネを取付けることでバネ蝶番を構成することが可能となる。
【００１５】
そして、本考案のツル継手構造は、普通の蝶番軸部にリング状のバネを取付けただけの簡単な構造であることから、外観上はバネ蝶番であることが分かり難く、メガネフレームとしてのデザインを損なうこともない。すなわち、蝶番継手を備えているツルであれば、如何なるデザインのメガネフレームであっても、リング状のバネを取付けでバネ蝶番機能を付与することが出来る。
【実施例】
【００１６】
図１は本考案のツル継手構造を備えているメガネフレームを示している。同図の１はフロント部、２はツルを示し、フロント部１はレンズが嵌る両リム３，３と連結部材４で構成され、リム３，３の外側にはヨロイ５，５がロウ付けにて取着されている。そして、リム３，３の内側(フロント部中央)には鼻当てパット６，６が取付けられている。
【００１７】
ところで、上記ツル２はヨロイ先端にバネ蝶番７を介して連結し、ツル２は折畳まれるが、開いた状態のツル２はさらに外方向へ僅かに押し開くことが出来る。ツル２を連結しているバネ蝶番７とは普通の蝶番にリング状のバネを取付けて構成したもので、ツル２を外方向へ押し開く際にはリング状のバネが変形し、ツル２を元に戻すバネ力が働く。
【００１８】
図２は蝶番を構成する両蝶片８，９を分離した状態で表している。一方の蝶片８はヨロイ５の先端にロウ付けされ、他方の蝶片９はツル２の端にロウ付けされていて、上記一方の蝶片８が他方の蝶片９に嵌って噛み合い、軸ネジによって連結される。蝶番を構成する両蝶片８，９は従来のものと同じであるが、蝶片８がロウ付けされるヨロイ内面先端は斜めに切欠かれた切欠き部１０を有している。
【００１９】
同じく、他方の蝶片９がロウ付けされるツル内面先端も斜めに切欠かれた切欠き部１１を形成している。ヨロイ５の切欠き部１０，１０は蝶片８を挟んだ両側に設けられ、ツル２の切欠き部１１は蝶片９の凹部に形成している。図３（ａ）、（ｂ）はヨロイ先端とツル端を示している拡大図であるが、このようにヨロイ先端内面１２には中央に蝶片８がロウ付けされる部位を残して斜めに切欠かれ、ツル端内面１３には蝶片９がロウ付けされる部位を残して中央が切欠かれている。ところで、これら切欠き部１０，１０，１１は蝶番に取付けられるリング状バネがヨロイ先端内面１２及びツル端内面１３に接触しないようにする為である。
【００２０】
図４は上記蝶番に組み合わされるリング状のバネ１４を表している実施例である。リング状のバネ１４は湾曲した２本の外バネ片１５，１５と１本の中バネ片１６を有し、外バネ片１５，１５と中バネ片１６は互いに連結している。そして、所定の間隔をおいて湾曲して延びている外バネ片１５，１５の間に形成される空間１７に中バネ片１６の先端１８が嵌っている。そこで、外バネ片１５，１５の先端と中バネ片１６の先端に押圧力が作用するならば、リング状のバネは変形してバネ力を発生する。
【００２１】
本考案のバネ蝶番はツル２を外方向へ押し開く際にこのリング状のバネ径を大きくするように変形させることでバネ力を発生する構造と成っている。そこで、外バネ片１５，１５の先端をツル端に当接し、中バネ片１６の先端をヨロイ先端に当接している。従って、ツル２を外方向へ押し開くならば、ヨロイ先端とツル端の間に残されている隙間は縮小してリング状のバネが変形することが出来る。
【００２２】
ところで、このリング状のバネは図５に示す形状、すなわち、両外バネ片１５，１５の底から中バネ片１６が延びる形状に切断又は打抜き加工し、これをリング状に曲げ成形される。このリング状のバネは外径が４ｍｍ程度の大きさであって非常に小さく、曲げ成形される前の図５に示す材料は長さＬが約１４ｍｍで各バネ片の幅Ｍは１．５ｍｍ程度としているが、精密打抜き加工（ファインブランキング加工）を用いることで破断面を生じることなく高精度で打抜き加工することが可能である。その結果、曲げ成形されるリング状のバネの寸法精度も高くなる。
【００２３】
図６は上記リング状のバネ１４を蝶番に組み合わせて構成したバネ蝶番７を表している。このように、蝶番を抱き込むように取付けられ、外バネ片１５，１５の先端はツル端１９に当接し、中バネ片１６の先端はヨロイ先端２０に当接している。そして、ヨロイ先端２０とツル端１９の間には僅かな隙間２１が介在しており、ツル２を外方向へ押し開くことが出来るが、このツル２を押し開くことでリング状のバネ１４は変形して径が拡大する。従って、この変形に伴うバネ力がツル２に付勢されて、該ツル２を元に押戻すバネ力が働く。すなわち、従来のバネ蝶番として機能することが出来る。
【図面の簡単な説明】
【００２４】
【図１】本考案のツル継手構造を備えたメガネフレーム。
【図２】ヨロイ先端とツル端にロウ付けされている蝶片。
【図３】蝶片がロウ付けされる前のヨロイ先端とツル端を示す拡大図。
【図４】リング状のバネを示す実施例。
【図５】曲げ成形前のリング状のバネの材料。
【図６】リング状のバネを取付けたバネ蝶番。
【図７】従来のバネ蝶番。
【符号の説明】
【００２５】
１  フロント部
２  ツル
３  リム
４  連結部材
５  ヨロイ
６  鼻当てパット
７  蝶番
８  蝶片
９  蝶片
10  切欠き部
11  切欠き部
12  ヨロイ先端内面
13  ツル端内面
14  リング状のバネ
15  外バネ片
16  中バネ片
17  空間
18  先端
19  ツル端
20  ヨロイ先端
21  隙間
【図１】
0003150290.tif 000003
【図２】
0003150290.tif 000004
【図３】
0003150290.tif 000005
【図４】
0003150290.tif 000006
【図５】
0003150290.tif 000007
【図６】
0003150290.tif 000008
【図７】
0003150290.tif 000009